(57)【要約】【課題】樹脂製袋又は紙袋を収納したコンテナを屋外に保管するための屋外カバーであって、屋外保管に際し、風雨による水濡れ、汚れ、結露等を防止し、品質低下を防止することができ、かつ該カバーの固定操作が容易である。【解決手段】下記（Ａ）〜（Ｄ）の構成を含む。  （Ａ）：パレット又はコンテナを覆うことができ、下方に開口部を有する  （Ｂ）：上面部にパレット又はコンテナの段積みに耐えるように、上面部とその上に段積みされるのパレット又はコンテナとの接触面を２重構造にした補強部分を有する  （Ｃ）：側面部の４面のうち相対する２面の側面下部に、互いに隣接する側面部とパレット及びコンテナ底部にあるフォークリフトの爪の差込部分を介して固定することができる固定手段を有する  （Ｄ）：少なくとも一つの側面部には内容物のラベルを見ることができる樹脂製フィルムの透明窓を有する【選択図】図１
2008037426.tif 000002
【特許請求の範囲】
【請求項１】
ポリオレフィン系樹脂又は合成ゴムが収納された樹脂製袋又は紙袋を積み重ねたパレット若しくは該樹脂製袋又は紙袋を収納したコンテナを屋外に保管するための屋外カバーであって、下記（Ａ）〜（Ｄ）の構成を含むことを特徴とする屋外保管カバー。
（Ａ）：前記パレット又はコンテナを覆うことができ、かつ下方に開口部を有すること
（Ｂ）：上面部にパレット又はコンテナの段積みに耐えるように、上面部とその上に段積みされるのパレット又はコンテナとの接触面を２重構造にした補強部分を有すること
（Ｃ）：側面部の４面のうち相対する２面の側面下部に、互いに隣接する側面部とパレット及びコンテナ底部にあるフォークリフトの爪の差込部分を介して固定することができる固定手段を有すること
（Ｄ）：少なくとも一つの側面部には内容物のラベルを見ることができる樹脂製フィルムの透明窓を有すること
【請求項２】
前記固定手段が容易に圧着固定が容易なクロスファスナーを含んでなることを特徴とする請求項１記載の屋外保管カバー。
【請求項３】
前記屋外保管カバーの本体が耐光剤を添加したポリオレフィン材料よりなることを特徴とする請求項１又は２記載の屋外保管カバー。
【発明の詳細な説明】
【技術分野】
【０００１】
本発明は、ポリオレフィン系樹脂又は合成ゴムが収納された樹脂製袋又は紙袋を積み重ねたパレット若しくは該樹脂製袋又は紙袋を収納したコンテナを屋外に保管するための屋外カバーであって、ポリオレフィン系樹脂又は合成ゴムの屋外保管に際し、風雨による水濡れ、汚れ、結露等を防止し、品質低下を防止することができ、かつ該カバーの固定操作が容易であるという優れた特徴を有する屋外保管カバーに関するものである。
【背景技術】
【０００２】
従来、ポリオレフィン系樹脂の保管方法は、風雨にさらされることのない倉庫等に保管されることが一般的であったが、建屋の建設、管理等が必要であり費用がかかることから、ポリオレフィン系樹脂製袋等に入れて屋外に保管されるようになってきた。また、合成ゴムについてもゴムベールの形態にしてポリオレフィン系樹脂にてラッピングし、ゴムベールのコールドフローによる変形を防止するためにコンテナの中に積み重ねて収納し（特許文献１参照）、ポリオレフィン系樹脂と同様に屋外に保管することが行われていた。しかし、ポリオレフィン系樹脂製袋には、通気用の穴が設けられているため、袋中への水の浸入、結露発生問題等があり、合成ゴムについても同様にゴムベールの収納されたコンテナ内に水分が入り込みゴムベールの表面に結露が発生することや、コンテナの底部に溜まった水分がコンテナ底部に収納されたゴムベールを著しく濡らし、ゴムベール表面への黴の発生を促す等、品質を低下させる問題があった。
【０００３】
そこで、パレット上に積まれたポリオレフィン系樹脂袋の全部を、ポリオレフィン系樹脂カバーで覆い、その上に板を設置し、その上から保管カバーで覆い、更に網で覆ってロープで固定する等の工夫が行われてきた（特許文献２参照）。しかし、上記の方法では内部のポリオレフィン系樹脂や合成ゴムの品質保全や、屋外カバーの強度、カバーで覆いカバーのすそ部分の固定作業の容易性等が十分でなく一層の改良が求められていた。
【０００４】
【特許文献１】特開平８−１４３０９７号公報（第１頁〜第４頁）
【特許文献２】特開２００２−１２８１３５号公報（第１頁〜第５頁）
【発明の開示】
【発明が解決しようとする課題】
【０００５】
かかる状況において、本発明が解決しようとする課題は、ポリオレフィン系樹脂又は合成ゴムが収納された樹脂製袋又は紙袋を積み重ねたパレット若しくは該樹脂製袋又は紙袋を収納したコンテナを屋外に保管するための屋外カバーであって、ポリオレフィン系樹脂又は合成ゴムの屋外保管に際し、風雨による水濡れ、汚れ、結露等を防止し、品質低下を防止することができ、かつ該カバーの固定操作が容易であるという優れた特徴を有する屋外保管カバーを提供する点にある。
【課題を解決するための手段】
【０００６】
すなわち本発明は、ポリオレフィン系樹脂又は合成ゴムが収納された樹脂製袋又は紙袋を積み重ねたパレット若しくは該樹脂製袋又は紙袋を収納したコンテナを屋外に保管するための屋外カバーであって、下記（Ａ）〜（Ｄ）の構成を含むことを特徴とする屋外保管カバーに係るものである。
（Ａ）：前記パレット又はコンテナを覆うことができ、かつ下方に開口部を有すること
（Ｂ）：上面部にパレット又はコンテナの段積みに耐えるように、上面部とその上に段積みされるのパレット又はコンテナとの接触面を２重構造にした補強部分を有すること
（Ｃ）：側面部の４面のうち相対する２面の側面下部に、互いに隣接する側面部とパレット及びコンテナ底部にあるフォークリフトの爪の差込部分を介して固定することができる固定手段を有すること
（Ｄ）：少なくとも一つの側面部には内容物のラベルを見ることができる樹脂製フィルムの透明窓を有すること
【発明の効果】
【０００７】
本発明により、ポリオレフィン系樹脂又は合成ゴムが収納された樹脂製袋又は紙袋を積み重ねたパレット若しくは該樹脂製袋又は紙袋を収納したコンテナを屋外に保管するための屋外カバーであって、ポリオレフィン系樹脂又は合成ゴムの屋外保管に際し、風雨による水濡れ、汚れ、結露等を防止し、品質低下を防止することができ、かつ該カバーの固定操作が容易であるという優れた特徴を有する屋外保管カバーを提供することができる。
【発明を実施するための最良の形態】
【０００８】
本発明の屋外保管カバーは、ポリオレフィン系樹脂又は合成ゴムが収納された樹脂製袋又は紙袋を積み重ねたパレット若しくは該樹脂製袋又は紙袋を収納したコンテナを屋外に保管するための屋外カバーであって、該パレット又はコンテナを覆い、風雨等から保護するために用いるものである。
【０００９】
オレフィンの単独重合体又は共重合体であるポリオレフィン系樹脂は、ペレット状の形態で紙袋又はポリオレフィン系樹脂袋に充填されてパレットに積み重ねられる。また、合成ゴムは、縦２０〜４５×横５０〜８０×高さ１５〜４０ｃｍ程度の直方体の固形体のゴムベールとして、コールドフローによる変形を防ぐためにコンテナの中に積み重ね、そのコンテナをパレットに積載し保管、移送を行う。
【００１０】
図１は本発明の屋外保管カバーの外観を示す斜視図である。屋外保管カバー上面部１、屋外保管カバー側面部２、透明窓３、固定バンド４、固定バンド折り返し用金具５、クロスファスナーの雄面６、クロスファスナーの雌面７、二重構造の補強部分８、固定バンドの折り返し部分９等よりなっており、下方は開口部となっている。
【００１１】
本発明の屋外保管カバーの材質としては、塩化ビニル重合体、エチレン−酢酸ビニル共重合体、エチレン−アクリル酸エステル共重合体、ポリエチレン等のオレフィンの単独重合体又は共重合体等のポリオレフィン系樹脂が用いられる。ポリオレフィン系樹脂には、耐光剤が添加された材料であることが好ましい。耐光剤としては、２，４−ｔ−ブチルフェニル−３’,５’、ビス（２，２,６,６−テトラメチル−４−ピペリジル）セバケート等が挙げられる。
【００１２】
屋外保管カバーの上面部１は、上段に積み重ねるパレット又はコンテナの段積み重量に耐えるように接触面を二重構造にして補強することが好ましい。上部及び、側面部は日光に曝されることが多いので特に耐光性をもたせることが好ましい。
【００１３】
屋外保管カバーの側面部２の４面のうち、相対する２面の側面下部に、互いに隣接する側面部とパレット及びコンテナ底部にあるフォークリフトの爪の差込部分を介して固定することができる固定手段が設けられている。固定手段としては、固定バンド４、固定バンド折り返し用金具５がそれぞれ４箇所設けてある。固定する作業が容易なように、固定バンド４にはクロスファスナーの雄面６及びクロスファスナーの雌面７を設けることが好ましい。
【００１４】
パレット又はコンテナの下部のフォークリフトの爪の差込部分を通して固定バンド折り返し用金具５で折り返してクロスファスナーの雌雄面を圧着固定して、屋外保管カバーのすそ部が強風等にあおられても開かないように簡単に固定することができる。なお、固定バンド折り返し用金具については、例えば長期の屋外保管に耐えることの出来るステンレスなどの金属や、合成樹脂等で作られている。また、固定手段を上記の如く設けたことにより、屋外保管カバーを固定する作業の移動距離が短くてすむため、作業性が向上する利点もある。
【００１５】
屋外保管カバーの側面部２の少なくとも一面にはパレット又はコンテナに積載した内容物の品種等を示すラベルを確認する透明窓が設けられている。透明窓は例えば耐光剤を添加したポリエチレンシート等で作られている。隣接する側面部の角の部分は溶着させて結合し、下部が開口した箱状になっておりパレット又はコンテナを上部から簡単に覆うことができるようになっている。
以下、具体的な実施例に基づき、発明の詳細を説明する。ただし、本発明は実施例に限定されるものではない。
【実施例】
【００１６】
実施例１
図１に本発明の屋外保管カバーの外観を示す斜視図、図２に本発明の屋外保管カバーのすそ部の固定方法を示す斜視図を示す。
実験に用いた屋外保管カバーは、本体部分に耐光剤を添加した青色のポリエチレンシート、透明窓の部分に透明な農業用ハウス等に使用される耐光剤を添加した、三層からなるポリエチレンシートを使用し、それぞれのシートは角の部分を溶着して箱型に形成した。
屋外保管カバー上面部の上に段積みされるのパレット又はコンテナとの接触面を、耐光剤を添加した青色のポリエチレンシートを溶着して２重構造にして補強した（上面、全周２０ｃｍ幅）。屋外保管カバーの大きさは、縦１５０.５ｃｍ×横１１５．５ｍｍ×高さ１００ｃｍであった。
固定手段としては、相対する側面部に、２箇所ずつの固定バンド４、及び固定バンド折り返し用金具５をそれぞれ計４箇所に設け、固定バンドには、クロスファスナー雄面６及びクロスファスナー雌面７を取り付けた。
【００１７】
実験は、前記屋外保管カバーを用いて、ポリエチレンのフィルムに包まれたゴムベール（エチレン−プロピレン−非共役ジエン共重合体ゴム、約３５×７０×２０ｃｍ程度の直方体）を３０個収納したコンテナ（縦１１２．５ｃｍ×横１４５ｃｍ×高さ９５ｃｍ、高さには、パレット高さ１２ｃｍを含まない）を上面より覆い、図２に示すように側面部にある７５ｃｍの固定バンド４を、コンテナ底部にあるフォークリフトの爪の差込部分を通し、隣接する側面にある固定バンド折り返し用金具５にくぐらせ、固定バンド折り返し金具を通過している部分の１５ｃｍのクロスファスナー雄面６と、通過していない部分の１５ｃｍクロスファスナー雌面７を圧着固定した。同様にして、側面の４箇所設置されているすべての固定バンドをコンテナの４隅の底部と屋外保管カバーが固定される状態とした。
【００１８】
同様に屋外保管カバーを被せた２０個のコンテナを、それぞれ屋外に４段に積み重ねた状態で９０日間保管した後、それぞれのコンテナ内及びゴムベールを観察した。その結果、いずれの場合も、すべてのコンテナ内について、水分の滞留や結露及び収納されたゴムベールへの異物の混入は見られなかった。
また、この屋外保管カバーの固定手段を上記の如く設けたことにより、作業性が良好であり、併せて、ポリエチレンシート製であるため、折りたたみが容易であり、場所を取ることなく保管することができた。
【図面の簡単な説明】
【００１９】
【図１】本発明の屋外保管カバーの外観を示す斜視図
【図２】本発明の屋外保管カバーのすそ部の固定方法を示す斜視図
【符号の説明】
【００２０】
１…屋外保管カバー上面、２…屋外保管カバー側面、３…透明窓、４…固定バンド、５…固定バンド折り返し用金具、６…クロスファスナーの雄面、７…クロスファスナーの雌面、８…二重構造の補強部分、９…固定バンドの折り返し部分
【図１】
2008037426.tif 000003
【図２】
2008037426.tif 000004